(57)【特許請求の範囲】
【請求項１】
複数の長さの異なる短いシャフトをつなぎ合わせたシャフトと、
前記短いシャフトのつなぎ目を覆って配置されるパイプと、
前記シャフトの両端に配置される第一及び第二のグリップと、
前記シャフトに配置され、かつ、前記第一および第二のグリップの間に配置され、前記パイプを覆って配置される第三のグリップと、を有するゴルフ練習器具。
【請求項２】
前記短いシャフトのつなぎ目は、シャフトの端部から８インチ以上１６インチ以下の範囲にある請求項１記載のゴルフ練習器具。
【請求項３】
前記シャフトに錘を配置した請求項１記載のゴルフ練習器具。
【請求項４】
総重量が１００ｇ以上４００ｇ以下の範囲にある請求項１記載のゴルフ練習器具。
【発明の詳細な説明】
【技術分野】
【０００１】
本発明は、ゴルフ練習器具に関する。
【背景技術】
【０００２】
ゴルファーにとってヘッドスピードの向上は常に抱えている問題であり追い求める夢でもある。ヘッドスピードの向上のため、通常ゴルファーは実際のゴルフクラブを用いて素振り、ゴルフ練習場において試打（いわゆる打ちっぱなし）を行なうことで練習するのが一般的である。
【０００３】
ところで、上記のような実際のゴルフクラブを用いる練習では、練習の手軽さや、正しいスイングへの矯正を目的として、実際のゴルフクラブとは異なる練習のためだけの擬似的ゴルフクラブ（以下「ゴルフ練習器具」という。）を用いる練習もよく行なわれている。
【０００４】
公知のゴルフ練習器具として、例えば下記特許文献１乃至３に記載のゴルフ練習器具が開示されている。
【０００５】
下記特許文献１には、端部にはグリップ部が、他端にはグリップ部を握ってスイングするときに空気抵抗を生じさせる空気抵抗体を配置してなるゴルフ練習器具が開示されている。
【０００６】
また下記特許文献２には、ゴルフ用倶楽部の長さにほぼ匹敵する長さのパイプシャフト内に、伸長ばねと圧縮ばねとを挿入配置し、遠心力に伴う伸縮作動を生じさせて摺擦音を発生させることのできるゴルフ練習器具が開示されている。
【０００７】
また下記特許文献３には、中空パイプ状のシャフトの一方の端にグリップが、他方の端にヘッド代わりの錘体が配置され、更にシャフト内に金属製の球体が設けられたゴルフ練習器具であって、この器具を振り下ろす際、振り上げる際に球体とグリップ又は球体と錘体とが衝突することにより発生する音をたよりに正しいスイングに導こうとするゴルフ練習器具が開示されている。
【０００８】
【特許文献１】特開平１１−１３７７５４号公報
【特許文献２】特開２００７−２７５１６７号公報
【特許文献３】実用新案登録第３１３５６７４号公報
【発明の開示】
【発明が解決しようとする課題】
【０００９】
しかしながら、上記特許文献１乃至３に記載されたゴルフ練習器具は、いずれもヘッド部分が重く、スピードが出にくいといった課題がある。
【００１０】
また、一般に通常のゴルフクラブを用いた素振りでは例えばドップラー効果等を利用してヘッドスピードを測定する装置を用いてヘッドスピードを測定することが可能であるが、上記特許文献１乃至３に記載されたゴルフ練習器具ではいずれも上記装置により測定することが極めて困難であり、自身の潜在的な最高のヘッドスピードを認識することができない。
【００１１】
そこで本発明は、上記課題を鑑み、自身の潜在的な最高のヘッドスピードを認識することが可能で、より正しいスイングへの矯正が容易なゴルフ練習器具を提供することを目的とする。
【課題を解決するための手段】
【００１２】
上記課題を解決するための一手段として、本発明は、複数の長さの異なる短いシャフトをつなぎ合わせたシャフトと、シャフトのつなぎ目を覆って配置されるパイプと、短いシャフトの両端に配置される第一及び第二のグリップと、シャフトに配置され、かつ、第一および第二のグリップの間に配置され、パイプを覆って配置される第三のグリップと、を有するゴルフ練習器具とする。
【発明の効果】
【００１３】
以上、本発明により、自身の潜在的な最高のヘッドスピードを認識することが可能で、より正しいスイングへの矯正が容易なゴルフ練習器具を提供することができる。
【発明を実施するための最良の形態】
【００１４】
以下、本発明の実施形態について図面を参照しつつ説明する。ただし、本発明は多くの異なる態様で実施することが可能であり、以下に示す実施形態に限定されるものではない。なお、本明細書においては同一又は同様の機能を有する部分には同一の符号を付し、その繰り返しの説明は省略する。
【００１５】
図１は、本実施形態に係るゴルフ練習器具（以下「本ゴルフ練習器具」という。）の概略を示す図である。本図で示すとおり、本ゴルフ練習器具１は、シャフト２と、シャフト２の両端に配置される第一のグリップ３及び第二のグリップ４と、シャフト２に配置され、かつ、第一のグリップ３および第二のグリップ４との間に配置される第三のグリップ５と、を有することを特徴の一つとする。
【００１６】
本実施形態に係るシャフト２は、一本のシャフトにより構成されていてもよいが、複数の短いシャフトを接合させたものであってもよい。本実施形態では重量調整を容易にする観点から、二本の短いシャフト２１、２２を組み合わせた形態で説明する。なお、短いシャフトは、同じ長さの短いシャフトを二本組み合わせたものであっても良いが、異なる長さの短いシャフトを二本組み合わせたものであってもよい。またこの場合においてシャフトのつなぎ目（つなぎ目）は、シャフトの一方の端部から８インチ以上１６インチ以下の範囲内にあることが好ましい。なお、シャフト２を二つの短いシャフト２１、２２で接続している場合、この短いシャフト２１、２２の接続部分に、金属性のパイプを配置しておくことは好ましい。このようにすることで後述する錘の代わりとすることができるとともに、シャフトの接合強度を向上させることができるといった利点がある。
【００１７】
本実施形態に係る短いシャフト２１、２２は、ゴルフクラブ一般に使用されるシャフトを使用することができる。ただし、シャフト部全体の長さとしては、組み合わせた場合に通常使用されるゴルフのシャフトの長さ程度にしておくことが好ましく、具体的には３０インチ以上５０インチ以下であることが好ましい。またシャフトの材料としては、一般に使用されるものであれば限定なく使用することができるが例えば炭素繊維、スチール等を好適に採用することができる。なお、シャフト及びそのグリップとしては、市販されている通常のゴルフクラブで、折れてしまった廃材を使用することもできる。
【００１８】
本実施形態ではシャフト部２の両端に第一のグリップ３、第二のグリップ４を有している。グリップは練習者が実際に素振りを行なう際に握るための部位であり、このグリップとしては特に限定されることなく一般的なグリップを採用することができ、材質としては、たとえばゴムであることは好ましい。グリップ一つあたりの重さとしては、特に限定されるわけではないが、たとえば３０ｇ以上７０ｇ以下であることが好ましく、４０ｇ以上６０ｇ以下であることがより好ましい。
【００１９】
また本実施形態では、第一のグリップ３と第二のグリップ４との間に更に第三のグリップ５を有していることを特徴とする。第三のグリップ５の位置としては、シャフト２１とシャフト２２のつなぎ目の上に設けておくことが好ましい。なお本実施形態では図１で示すように、短いシャフト２１、２２のつなぎ目の上に設けてある。第三のグリップ５を設けることで、錘としての機能を有することができるだけでなく、第一のグリップを握らず第三のグリップを握ることでヘッドスピード向上のために腕のターンを覚えるドリル用に用いることができる。また第二のグリップをもった場合は、通常のグラブに近いバランスで素振りをすることができる。軽いものを振ると腕のターンが難しくなるので、その予防にもちょうどよい。特に、つなぎ目に上記パイプを配置している場合、パイプの重心とグリップの重心を同じ位置に調整することができるだけでなく、パイプを外部衝撃から保護することができる利点を加味できる点において有用である（この場合の概略断面図を図２に示しておく。）。
【００２０】
なお本実施形態において、シャフト２の一方の端には、錘６を別途配置してもよい。錘６としては、例えば図３で示すように、シャフト部２の中空部２３に配置される円柱状の錘でもよく、例えば図４で示すように、鉛等の錘が付されたテープであってもよい。このようにすることで本ゴルフ練習器具全体の重さを調節やゴルフ練習器具における重さのバランスを調節することができるようになる。なお錘６の重さとしては、限定されるわけではないが５ｇ以上２００ｇ以下であることが好ましく、より好ましくは８ｇ以上１００ｇ以下である。またゴルフ練習器具全体の総重量としては、一般的なゴルフクラブの重量に近いことが好ましく具体的には１００ｇ以上４００ｇ以下であることが好ましい。
【００２１】
以上、本実施形態に係るゴルフ練習器具によると、自身の潜在的な最高のヘッドスピードを認識することが容易なゴルフ練習器具となる。より具体的に説明すると、本ゴルフ練習器具は両端にグリップが形成されており、ゴルフクラブに通常設けられるヘッド部を設けていないためヘッド部の軽量化を図ることができスイング時における加速がよくなる。この加速のよいスイングを繰り返すことで、自身の最高スピードを認識しながらヘッドスピードを向上させることができる。また本ゴルフ練習器具には第三のグリップを（必要に応じて錘、パイプを加えて）配置することでゴルフ練習器具全体の重さが調整されており、重さに関する違和感を抑えることができる。特に重い部分が先端部に位置するよりも手元にある方が同じ重さでも早く振ることができる。この結果、本ゴルフ練習器具は自身の潜在的な最高のヘッドスピードを認識すること更には向上させることができる。
【００２２】
また本ゴルフ練習器具は、ヘッド部をグリップに変えて両端をグリップとしているためいずれのグリップでも練習することができるだけでなく、片手でもスイングの練習を容易に行なうことができる。本ゴルフ練習器具ではシャフトの端部にグリップが設けられているため、例えばドップラー効果を利用したヘッドスピード計測計でもヘッドスピードの測定が可能であり、片手で振った場合でもその速度を図ることができる。この結果左右のヘッドスピードの差を認識することが可能となり、弱い方の練習を強化することができる。
【００２３】
そしてさらに練習者は、第三のグリップを握ることでシャフトの端部（第一のグリップ）を自身側に突き出させシャフトの軸の向きを認識しやすくでき、シャフト軸を自身の腹部（具体的には臍）に向かせるよう意識を集中させながら練習しやすい。また、第三のグリップを握ることで手首又は腕のターンをマスターするための腕のターンの練習ができるようになる。特にこの場合、第一のグリップが錘として機能し、腕のターンの動きを補助することができる。また短いシャフトのつなぎ目をシャフトの端部から８インチ以上１６インチとし、パイプ及び第三のグリップを配置することで第三のグリップを握ったとしてもスイングにおいて他のグリップ（本実施形態では第一のグリップ）が邪魔になることはなく、しかも手元に錘となる部分が存在し、ヘッドスピードをより向上させることができる設計となっている。この結果、非常に有用なゴルフ練習器具となる。
【産業上の利用可能性】
【００２４】
本発明は、ゴルフ練習器具として産業上の利用可能性がある。
【図面の簡単な説明】
【００２５】
【図１】実施形態に係るゴルフ練習器具を示す概略図である。
【図２】実施形態に係るゴルフ練習器具の他の形態の例を示す概略図である。
【図３】実施形態に係るゴルフ練習器具における錘の例を示す図である。
【図４】実施形態に係るゴルフ練習器具における錘の例を示す図である。
【符号の説明】
【００２６】
１…ゴルフ練習器具、２…シャフト、３…第一のグリップ、４…第二のグリップ、５…第三のグリップ、６…錘
【要約】
【課題】身の潜在的な最高のヘッドスピードを認識することが可能で、より正しいスイングへの矯正が容易なゴルフ練習器具を提供すること。
【解決手段】  シャフトと、シャフトの両端に配置される第一及び第二のグリップと、シャフトに配置され、かつ、第一のグリップと第二のグリップの間に配置される第三のグリップと、を有するゴルフ練習器具とする。なおシャフトは、複数の長さの異なる短いシャフトをつなぎ合わせたものであることが好ましく、また、短いシャフトのつなぎ目は、シャフトの端部から８インチ以上１６インチ以下の範囲にあることも好ましい。
【選択図】  図１【図１】
0004162153.tif 000002
【図２】
0004162153.tif 000003
【図３】
0004162153.tif 000004
【図４】
0004162153.tif 000005